(57)【要約】    【課題】  高圧空気搬送による搬送対象物の損傷、商品価値の低下。    【構成】  送風装置２の吸気部３に筒状の搬送筒１の一端を接続し、搬送筒１の他端は送風装置２の排気部５に接続し、前記搬送筒１の一方側は吸気部３への吸引風により搬送対象物を搬送する吸引風路４に形成し、前記搬送筒１の他方側は送風装置２の排気部５からの排気風により搬送対象物を搬送する排気風路６に形成し、前記吸引風路４に一次行程装の排出部と二次行程装置の供給部を接続し、前記排気風路６に二次行程装置の排出部と三次行程装置の供給部を接続し、前記一次行程装置から三次行程装置へ搬送対象物を搬送すると共に、該三次行程装置の供給部で搬送対象物と分離した排気風路６の搬送風は前記吸引風路４に戻して循環するように構成した穀粒搬送装置。【選択図】    図１
2006347712.tif 000002
【特許請求の範囲】
【請求項１】
送風装置２の吸気部３に筒状の搬送筒１の一端を接続し、搬送筒１の他端は送風装置２の排気部５に接続し、前記搬送筒１のうちの一方側は吸気部３から吸引される吸引風により搬送対象物を搬送する吸引風路４に形成し、前記搬送筒１のうち他方側は送風装置２の排気部５から排気された排気風により搬送対象物を搬送する排気風路６に形成し、前記吸引風路４に一次行程装の排出部と二次行程装置の供給部を接続し、前記排気風路６に二次行程装置の排出部と三次行程装置の供給部を接続し、もって、前記一次行程装置から三次行程装置へ搬送対象物を搬送すると共に、該三次行程装置の供給部で搬送対象物と分離した排気風路６の搬送風は前記吸引風路４に戻して循環するように構成した穀粒搬送装置。
【請求項２】
送風装置２の吸気部３に筒状の搬送筒１の一端を接続し、搬送筒１の他端は送風装置２の排気部５に接続し、前記搬送筒１のうちの一方側は吸気部３から吸引される吸引風により搬送対象物を搬送する吸引風路４に形成し、前記搬送筒１のうち他方側は送風装置２の排気部５から排気された排気風により搬送対象物を搬送する排気風路６に形成し、前記吸引風路４の搬送方向上手側に一次行程となる一次行程装置からの搬送対象物を供給する吸引風路上手側フィーダ１２を接続し、該吸引風路上手側フィーダ１２の下手側の吸引風路４に二次行程装置に搬送対象物を供給する吸引風路下手側フィーダ２１を接続し、吸引風路下手側フィーダ２１の下手側の吸引風路４にダスト用サイクロン２５を接続し、ダスト用サイクロン２５の下手側の吸引風路４は前記送風装置２の吸気部３に接続し、前記排気風路６の搬送方向上手側に二次行程装置により処理された搬送対象物を供給する排気風路上手側フィーダ２８を接続し、該排気風路上手側フィーダ２８の下手側の排気風路６に三次行程装置に搬送対象物を供給する排気風路下手側フィーダ３６を設け、排気風路下手側フィーダ３６より下手側の排気風路６は前記吸引風路上手側フィーダ１２に接続して前記搬送筒１内の空気が循環するように構成した穀粒搬送装置。
【請求項３】
請求項１または請求項２において、前記二次行程装置の供給部または前記吸引風路下手側フィーダ２１と、前記三次行程装置の供給部または前記排気風路下手側フィーダ３６には、搬送対象物と搬送風とを分離するサイクロンを夫々設けた穀粒搬送装置。
【請求項４】
請求項１または請求項２または請求項３において、前記一次行程装置は乾燥機１０により、前記二次行程装置は色彩選別装置２９により、前記三次行程装置は計量装置１１により、夫々構成した穀粒搬送装置。
【請求項５】
送風装置２の吸気部３に筒状の搬送筒１の一端を接続し、搬送筒１の他端は送風装置２の排気部５に接続し、前記搬送筒１のうちの一方側の前記吸気部３から吸引される吸引風が流れる吸引風路４により一次行程装置により処理された搬送対象物を二次行程装置の供給部に搬送し、二次行程装置の供給部で分離された搬送風は送風装置２の吸気部３に戻し、送風装置２の排気部５から排気された排気風が流れる排気風路６に二次行程装置により処理された搬送対象物を流入させ、排気風路６により搬送対象物を三次行程装置に搬送し、三次行程装置の供給部で搬送対象物と分離した搬送風は前記吸引風路４に戻して循環するように構成した穀粒搬送方法。
【請求項６】
請求項５において、前記二次行程装置の供給部で分離された搬送風は、ダスト用サイクロン２５により塵埃を除去してから送風装置２の吸気部３に戻すように構成した穀粒搬送方法。
【発明の詳細な説明】
【技術分野】
【０００１】
本発明は、飼料、そば、大豆、あずき、米麦等の搬送対象物を搬送する循環搬送システムに係るものである。
【背景技術】
【０００２】
従来、送風装置の排気部に接続した搬送筒にタンクの排出部を接続し、タンクの下手側の搬送筒の排気風路に搬送対象物を処理する処理装置を接続し、処理装置に供給する搬送対象物と搬送風を分離した送風は前記送風装置の吸気部に戻し、送風装置の吸気部に戻す搬送風の内の一部をタンクに供給してタンク内を加圧する構成は、公知である（特許文献１）。
【特許文献１】特開２００４−１８２３７２号公報
【発明の開示】
【発明が解決しようとする課題】
【０００３】
前記公知例は、送風装置から高圧で送風される高温の搬送風により搬送対象物を搬送するため、搬送する搬送対象物の性状によっては損傷し、品質が低下するという課題がある。
また、公知例は、排気風路にエアクリーナーが設けられているが、エアクリーナーはタンクへの風路の分岐部より上手側となるので、エアクリーナー以外の風路と送風装置とが連通され、故障の原因となるという課題がある。
また、公知例は、タンクと処理装置との間の搬送に留まり、処理装置で処理された処理物を搬送するには、更に、別途、搬送装置が必要になって、構造が複雑となり、高価になるという課題がある。
また、処理装置まで搬送に使用した風の一部はタンクに加圧するために戻し、これ以外の搬送風は、送風装置の吸気部に戻して搬送筒内を循環させているが、単に、循環させているだけであるから、搬送するに際してエネルギー効率が低いという課題がある。
本願は、搬送筒の吸引風路および排気風路を工夫し、複数箇所に一台の送風装置の送風で搬送して搬送設備を簡素化すると共に、搬送中の搬送対象物の損傷を抑制し、少ない消費エネルギーにより搬送効率を向上させたものである。
【課題を解決するための手段】
【０００４】
本発明は、送風装置２の吸気部３に筒状の搬送筒１の一端を接続し、搬送筒１の他端は送風装置２の排気部５に接続し、前記搬送筒１のうちの一方側は吸気部３から吸引される吸引風により搬送対象物を搬送する吸引風路４に形成し、前記搬送筒１のうち他方側は送風装置２の排気部５から排気された排気風により搬送対象物を搬送する排気風路６に形成し、前記吸引風路４に一次行程装の排出部と二次行程装置の供給部を接続し、前記排気風路６に二次行程装置の排出部と三次行程装置の供給部を接続し、もって、前記一次行程装置から三次行程装置へ搬送対象物を搬送すると共に、該三次行程装置の供給部で搬送対象物と分離した排気風路６の搬送風は前記吸引風路４に戻して循環するように構成した穀粒搬送装置としたものである。
本発明は、送風装置２の吸気部３に筒状の搬送筒１の一端を接続し、搬送筒１の他端は送風装置２の排気部５に接続し、前記搬送筒１のうちの一方側は吸気部３から吸引される吸引風により搬送対象物を搬送する吸引風路４に形成し、前記搬送筒１のうち他方側は送風装置２の排気部５から排気された排気風により搬送対象物を搬送する排気風路６に形成し、前記吸引風路４の搬送方向上手側に一次行程となる一次行程装置からの搬送対象物を供給する吸引風路上手側フィーダ１２を接続し、該吸引風路上手側フィーダ１２の下手側の吸引風路４に二次行程装置に搬送対象物を供給する吸引風路下手側フィーダ２１を接続し、吸引風路下手側フィーダ２１の下手側の吸引風路４にダスト用サイクロン２５を接続し、ダスト用サイクロン２５の下手側の吸引風路４は前記送風装置２の吸気部３に接続し、前記排気風路６の搬送方向上手側に二次行程装置により処理された搬送対象物を供給する排気風路上手側フィーダ２８を接続し、該排気風路上手側フィーダ２８の下手側の排気風路６に三次行程装置に搬送対象物を供給する排気風路下手側フィーダ３６を設け、排気風路下手側フィーダ３６より下手側の排気風路６は前記吸引風路上手側フィーダ１２に接続して前記搬送筒１内の空気が循環するように構成した穀粒搬送装置としたものである。
本発明は、前記二次行程装置の供給部または前記吸引風路下手側フィーダ２１と、前記三次行程装置の供給部または前記排気風路下手側フィーダ３６には、搬送対象物と搬送風とを分離するサイクロンを夫々設けた穀粒搬送装置としたものである。
本発明は、前記一次行程装置は乾燥機１０により、前記二次行程装置は色彩選別装置２９により、前記三次行程装置は計量装置１１により、夫々構成した穀粒搬送装置としたものである。
本発明は、送風装置２の吸気部３に筒状の搬送筒１の一端を接続し、搬送筒１の他端は送風装置２の排気部５に接続し、前記搬送筒１のうちの一方側の前記吸気部３から吸引される吸引風が流れる吸引風路４により一次行程装置により処理された搬送対象物を二次行程装置の供給部に搬送し、二次行程装置の供給部で分離された搬送風は送風装置２の吸気部３に戻し、送風装置２の排気部５から排気された排気風が流れる排気風路６に二次行程装置により処理された搬送対象物を流入させ、排気風路６により搬送対象物を三次行程装置に搬送し、三次行程装置の供給部で搬送対象物と分離した搬送風は前記吸引風路４に戻して循環するように構成した穀粒搬送方法としたものである。
本発明は、前記二次行程装置の供給部で分離された搬送風は、ダスト用サイクロン２５により塵埃を除去してから送風装置２の吸気部３に戻すように構成した穀粒搬送方法としたものである。
【発明の効果】
【０００５】
請求項１の発明では、搬送を吸引風により行うので、搬送対象物の損傷を抑制でき、送風装置２の排気と吸気の両方の送風を利用するので、エネルギー効率が高く、省エネとなり、各行程の装置で分離した排気を排出させないので、施設内の空気を汚染せず、また、排風に伴う騒音も抑制できる。
また、特に、一次行程装置から二次行程装置への搬送は、吸引風路４により行うので、前記一次行程装置を乾燥機１０としたとき、二次行程装置（色彩選別装置２９）へ搬送中に搬送対象物を冷却することができ、合理的な構成となる。
請求項２の発明では、一次行程装置（乾燥機１０）と二次行程装置（色彩選別装置２９）と三次行程装置（計量装置１１）と搬送筒１を吸引風路下手側フィーダ２１により接続しているので、空気（圧力）漏れがなく、搬送筒１内の搬送圧力を低下させることがなく、搬送効率を低下させない。
請求項３の発明では、送風による搬送対象物の搬送を確実に行い、搬送に伴って「ロス」の発生を防止できる。
請求項４の発明では、乾燥・選別・計量の三行程を一つの送風装置２で搬送でき、コストを低くできる。
請求項５の発明では、搬送を吸引風により行うので、搬送対象物の損傷を抑制でき、送風装置２の排気と吸気の両方の送風を利用するので、エネルギー効率が高く、省エネとなり、各行程の装置で排気を排出させないので、施設内の空気を汚染せず、また、排風に伴う騒音も抑制できる。
また、特に、一次行程装置から二次行程装置への搬送は、吸引風路４により行うので、前記一次行程装置を乾燥機１０としたとき、二次行程装置（色彩選別装置２９）へ搬送中に搬送対象物を冷却することができ、合理的な構成となる。
請求項６の発明では、ダスト用サイクロン２５により塵埃を除去してから直接送風装置２の吸気部３に戻すので、送風装置２の故障を防止し、損傷を抑制して耐久性を向上させる。
【実施例１】
【０００６】
本発明の一実施例を図面により説明すると、１は、飼料、そば、大豆、あずき、米麦等の搬送対象物を搬送する循環搬送システムＨの搬送通路を構成する搬送筒１であり、循環搬送システムＨには一台の送風装置２を設ける。
送風装置２は公知のものであり、ファン（図示省略）を回転させて、２の一方側から吸引して他方に排気するように構成する。送風装置２の吸気部３には、前記搬送筒１の一端を接続して吸引風路４に形成する。また、送風装置２の排気部５には、前記搬送筒１の他端を接続して排気風路６に形成する。
【０００７】
本実施例では、一次行程の乾燥機１０による乾燥から後述する三次行程の計量装置１１による計量まで搬送対象物を搬送するようにしており、吸引風路４の搬送方向上手側となる搬送筒１のうちの上手側吸引搬送筒１Ａには、吸引風路上手側フィーダ（ロータリーフィーダ）１２を設け、吸引風路上手側フィーダ１２に乾燥機１０の排出口１３を接続する。
即ち、吸引風路４の吸引搬送風は、送風装置２で圧縮された空気が通る排気風路６の高圧搬送風に比し温度が低いため、乾燥機１０からの穀粒は吸引風路４により搬送し、穀粒温度が低下するのを期待する。
【０００８】
この場合、送風装置２は吸気部３から吸引した空気を圧縮して排気部５から排気し、排気は搬送筒１内を循環して吸気部３に戻るため、吸引風路４と排気風路６は連通しており、搬送筒１内の吸引風路４と排気風路６の境界は曖昧であるが、少なくとも、一次行程の乾燥機１０から送風装置２までの搬送対象物は吸引搬送風により搬送する。
【０００９】
前記吸引風路上手側フィーダ１２は、公知のものであり、上部にホッパー１３を設け、ホッパー１３の下方にドラム１４を設け、ドラム１４内に回転軸１５を設け、回転軸１５に放射状に突出する回転翼体１６を複数設け、回転翼体１６の先端をドラム１４の内周に摺接または近接させ、ホッパー１３に供給された搬送対象物を吸引風路４内に繰り出すものであり、定量の搬送対象物を繰り出すことで吸引風路４の「詰まり」を防止すると共に、外気の吸引を防止して吸引風路４内の吸引圧力の低下による搬送力が低下するのを防止する。１７は回転翼体１６の間に形成される流入室、１８はシャッタ、１９はモータ、１９Ａはドラム１４の下方に設けた吸引風路４との接続部である。
【００１０】
しかして、吸引風路上手側フィーダ１２の搬送方向下手側の吸引風路４には一次サイクロン２０を取付ける。一次サイクロン２０は公知のものであり、縦に長い筒部材により形成し、一次サイクロン２０の上部の接続部２３には前記上手側吸引搬送筒１Ａを接続する。一次サイクロン２０の下部には吸引風路下手側フィーダ（ロータリーバルブ）２１を介して一次タンク２２を接続する。
【００１１】
前記一次サイクロン２０の上部の排気口２４には搬送筒１のうち下手側吸引風排気筒１Ｂの一端を接続する。下手側吸引風排気筒１Ｂは一次サイクロン２０で搬送対象物と分離した搬送風を排気させるものである。下手側吸引風排気用筒１Ｂの他端は前記送風装置２の吸気部３に接続する。下手側吸引風排気用筒１Ｂの中間部にはダスト用サイクロン（エアクリーナー）２５を設ける。ダスト用サイクロン２５は搬送風（吸引風）に混入した塵埃を分離除去するものである。
【００１２】
しかして、送風装置２の排気部５に接続した搬送筒１の上手側排気搬送筒１Ｃの搬送方向上手側には排気風路上手側フィーダ（ロータリーフィーダ）２８を設ける。排気風路上手側フィーダ２８には色彩選別装置２９等の二次工程用の装置の排出部を接続する。
色彩選別装置２９は前記一次タンク２２から供給された搬送対象物を色彩選別する装置で公知のものであり、光りセンサ等により搬送対象物の色彩を判別して異物を除去するものである。
【００１３】
上手側排気搬送筒１Ｃの搬送方向下手側には二次サイクロン３５を取付ける。二次サイクロン３５の下部には排気風路下手側フィーダ（ロータリーバルブ）３６を介して二次タンク３７を接続する。二次タンク３７には計量装置１１等の三次工程用の装置を接続する。
【００１４】
しかして、前記二次サイクロン３５の上部の排気口には搬送筒１のうち下手側排気風排気用筒１Ｄの一端を接続する。下手側排気風排気用筒１Ｄは二次サイクロン３５で搬送対象物と分離した搬送風を排気させて通すものである。下手側排気風排気用筒１Ｄの他端は前記吸引風路上手側フィーダ１２に接続し、下手側排気風排気用筒１Ｄを流れる排気風は吸引風路上手側フィーダ１２の下手側の上手側吸引搬送筒１Ａ・下手側吸引風排気用筒１Ｂを介して送風装置２に戻り、その結果、搬送筒１内の搬送風は循環する。
なお、排気風路上手側フィーダ２８は、吸引風路上手側フィーダ１２と同じ構成でよく、また、吸引風路下手側フィーダ２１と排気風路下手側フィーダ３６はロータリーバルブ等と呼ばれる繰出供給装置であればよく、これらの構成は任意である。
【００１５】
（実施例の作用）
送風装置２を駆動させると、送風装置２は搬送筒１内の空気を吸引して排気し、空気は搬送筒１内を循環する。
乾燥機１０により一次行程の乾燥が行われた搬送対象物は、排出口１３から吸引風路上手側フィーダ１２に入り、吸引風路上手側フィーダ１２は搬送対象物を搬送筒１の吸引風路４（下手側吸引風排気用筒１Ｂ）に定量繰り出し、搬送筒１（吸引風路４）内に繰り出された搬送対象物は搬送筒１（吸引風路４）内を通る搬送風により一次サイクロン２０に搬送される。
【００１６】
一次サイクロン２０に搬送された搬送対象物は、一次サイクロン２０で搬送風と分離され、吸引風路下手側フィーダ２１を介して一次タンク２２に貯留される。
一次タンク２２に貯留された搬送対象物は、色彩選別装置２９に供給されて異物の除去される等の二次行程が行われる。
【００１７】
色彩選別装置２９による二次行程の処理を受けた搬送対象物は、排気風路上手側フィーダ２８により搬送筒１（上手側排気搬送筒１Ｃ）に繰り出され、搬送筒１内に繰り出された搬送対象物は搬送筒１（上手側排気搬送筒１Ｃ）内を通る搬送風により二次サイクロン３５に搬送され、二次サイクロン３５に搬送された搬送対象物は、二次サイクロン３５で搬送風と分離され、排気風路下手側フィーダ３６を介して二次タンク３７に貯留され、二次タンク３７に貯留された搬送対象物は、計量装置１１に供給されて三次行程の計量が行われる。
【００１８】
しかして、循環搬送システムＨは、送風装置２の吸気部３に搬送筒１の一端を接続し、搬送筒１の他端は送風装置２の排気部５に接続し、搬送筒１のうちの一方は吸気部３から吸引される吸引風路４に形成し、搬送筒１のうち他方は送風装置２の排気部５から排気された排気風路６に形成し、吸引風路４の搬送方向上手側に一次行程となる一次行程装置（乾燥機１０）からの搬送対象物を供給する吸引風路上手側フィーダ１２を設け、吸引風路上手側フィーダ１２の下手側の吸引風路４に二次行程装置（色彩選別装置２９）に搬送対象物を供給する吸引風路下手側フィーダ２１を設け、該吸引風路下手側フィーダ２１の下手側の吸引風路４にダスト用サイクロン２５を設け、前記排気風路６の搬送方向上手側に二次行程装置により処理された搬送対象物を供給する排気風路上手側フィーダ２８を設け、排気風路上手側フィーダ２８の下手側の排気風路６に三次行程装置（計量装置１１）に搬送対象物を供給する排気風路下手側フィーダ３６を設け、排気風路下手側フィーダ３６より下手側の排気風路６は前記吸引風路上手側フィーダ１２に接続して前記搬送筒１内の空気が循環するようにしているから、乾燥機１０から排気風路上手側フィーダ２８に搬送対象物を搬送する搬送筒１の上手側吸引搬送筒１Ａには主として吸引風が流れ、吸引風により搬送される。
【００１９】
したがって、送風装置２で圧縮された空気が通る排気風路６の高温・高圧の排気搬送風に比し温度が低いため、乾燥機１０から色彩選別装置２９に搬送中に加温されることはなく、搬送対象物は冷却され、搬送対象物の温度の上昇が抑制される。特に、吸引風路４の上手側に乾燥機１０を設けているので、乾燥機１０により加温された搬送対象物を更に送風装置２の高温の排気風で搬送しないので、搬送対象物温度の上昇が抑制されて、合理的な構成になる。
【００２０】
また、二次行程装置（色彩選別装置２９）で処理された搬送対象物は、搬送筒１の排気風路６により二次タンク３７に搬送され、この搬送は送風装置２の排気部５からの排気を利用するので、送風装置２の正圧を利用でき、消費エネルギー当たりの搬送効率を向上させられる。
【００２１】
また、一次行程装置（乾燥機１０）から二次行程装置（色彩選別装置２９）へ搬送される搬送対象物は、一次サイクロン２０により吸引風と分離され、吸引風路４のダスト用サイクロン２５を通って吸気部３に吸引されるので、一次サイクロン２０で分離した排気は施設内に排出させない。
【００２２】
同様に、二次行程装置（色彩選別装置２９）から三次行程装置（計量装置１１）へ搬送される搬送対象物は、二次サイクロン３５により吸引風と分離され、分離された排気は排気風路６の下手側排気風排気用筒１Ｄを通って上手側吸引搬送筒１Ａと下手側吸引風排気用筒１Ｂを介して吸気部３に吸引されるので、搬送筒１内を流れる搬送風は、搬送筒１内を循環するので、この点でも循環搬送システムＨの排気は施設内に排出させない。
【００２３】
したがって、循環搬送システムＨを作動させたとき、施設内の空気は清浄に保持され、作業環境を良好に保持し、また、空気排出に伴う騒音の発生を防止する。
しかして、二次行程装置（色彩選別装置２９）に搬送対象物を供給する一次タンク２２には吸引風路下手側フィーダ２１を設け、吸引風路下手側フィーダ２１に一次サイクロン２０を設けているから、一次サイクロン２０により搬送対象物と吸引風とは分離され、分離された搬送対象物は吸引風路下手側フィーダ２１により気密状態を保持しながら一次タンク２２に供給され、搬送筒１の吸引風路４の吸引圧力を低下させない。
【００２４】
同様に、二次行程装置（色彩選別装置２９）から三次行程装置（計量装置１１）へ搬送される搬送対象物は、二次サイクロン３５により吸引風と分離され、分離された搬送対象物は排気風路下手側フィーダ３６を介して二次タンク３７に供給されるので、搬送筒１の排気風路６の搬送圧力を低下させない。
なお、理解を容易にするために、乾燥機１０からの搬送対象物を供給する吸引風路上手側フィーダ１２に、上手側吸引搬送筒１Ａの始端部と下手側排気風排気用筒１Ｄの終端部を接続していると表現しているが、下手側排気風排気用筒１Ｄ内の搬送風が送風装置２により吸引されたものでもよく、吸引風路４と排気風路６は互いに連通しているため、表現や名称によって本願の構成が限定されるものでない。
【図面の簡単な説明】
【００２５】
【図１】搬送対象物搬送システムの一例の概略配置図。
【図２】同概略図。
【図３】搬送対象物繰出装置の縦断側面図。
【図４】搬送対象物繰出装置の縦断側面図。
【図５】搬送対象物分離装置の一部縦断正面図。
【符号の説明】
【００２６】
１…搬送筒、２…送風装置、３…吸気部、４…吸引風路、５…排気部、６…排気風路、１０…乾燥機、１１…計量装置、１２…吸引風路上手側フィーダ、１３…排出口、２０…一次サイクロン、２１…吸引風路下手側フィーダ、２２…一次タンク、２５…ダスト用サイクロン、２８…排気風路上手側フィーダ、２９…二次行程装置（色彩選別装置）、３０…排出口、３５…二次サイクロン、３６…排気風路下手側フィーダ、３７…二次タンク。
【図１】
2006347712.tif 000003
【図２】
2006347712.tif 000004
【図３】
2006347712.tif 000005
【図４】
2006347712.tif 000006
【図５】
2006347712.tif 000007